(57)【要約】【課題】  紙幣、パスポート、有価証券、カード、その他の貴重印刷物の意匠とすべく偽造防止効果を有する印刷物が求められている。【解決手段】  特定の波長において吸収する又は発光する第１の色材で印刷した第１の線画と、特定の波長において吸収しない又は発光しない可視光下では第１の色材と同色に見える第２の色材で印刷した第２の線画で構成され、第１の線画と第２の線画はそれぞれ画線幅の違う背景領域と潜像領域で構成され、第２の線画の潜像領域は第１の線画の潜像領域と形状及び大きさが等しく、第１の線画と第２の線画が重なり、背景領域と潜像領域の濃度が等しいことを特徴とする偽造防止印刷物。【選択図】  図２
2008265190.tif 000002
【特許請求の範囲】
【請求項１】
特定の波長において吸収又は発光する第１の色材で印刷した第１の線画と、
前記特定の波長において吸収又は発光せず、かつ、可視光下では第１の色材と同色に見える第２の色材で印刷した第２の線画で構成され、
前記第１の線画と前記第２の線画は、それぞれ画線幅の違う背景領域と潜像領域で構成され、
前記第２の線画の潜像領域は前記第１の線画の潜像領域と形状及び大きさが等しく、
前記第１の線画と前記第２の線画が重なり、かつ、背景領域と潜像領域の濃度が等しい
ことを特徴とする印刷物。
【請求項２】
前記第１の線画を構成する画線と前記第２の線画を構成する画線が交差していることを特徴とする請求項１記載の印刷物。
【請求項３】
前記第１の線画を構成する画線と前記第２の線画を構成する画線が並行又は重畳して配列されていることを特徴とする請求項１記載の印刷物。
【請求項４】
前記第１の線画と、前記第２の線画の少なくとも一つは、規則的な間隔をもって配置された複数の画線で構成されることを特徴とする請求項１記載の印刷物。
【請求項５】
前記第１の線画と前記第２の線画は、少なくともどちらか一方において所定の領域で、
隣接する画線と画線幅を異ならせることで濃度が変化してカムフラージュ模様を成していることを特徴とする請求項１乃至４記載の印刷物。
【請求項６】
前記カムフラージュ模様は、前記第１と第２の線画の同じ領域に配置されていることを特徴とする請求項１乃至５記載の印刷物。
【請求項７】
前記第１の線画は、赤外線吸収性材料を含むインキで印刷され、
前記第２の線画は、赤外線吸収性材料を含まないインキで印刷されていることを特徴とする請求項１乃至６記載の印刷物。
【請求項８】
前記第１の線画は、紫外線発光特性材料を含むインキで印刷され、
前記第２の線画は、紫外線発光特性材料を含まないインキで印刷されていることを特徴とする請求項１乃至６記載の印刷物。
【発明の詳細な説明】
【技術分野】
【０００１】
本発明は、紙幣、パスポート、有価証券、カード、その他の貴重印刷物を含む偽造防止及び改ざん防止機能が必要とされる印刷物に関するものである。
【背景技術】
【０００２】
一般に、セキュリティ印刷物は画線で構成されていることが多い。これは、一般的な入出力機器では再現できない高精細な線画を、プロセス印刷ではなく、特色で印刷することによって偽造防止効果をもたせるためである。しかし、近年、カラー複写機、スキャナ及び家庭用プリンタの解像度向上に伴い、偽造券の作製を容易にできるようになってきた。また、スキャナ等の入力機器の高性能化により、高精度な入力を行って印刷を行う精巧な偽造も増えてきた。
【０００３】
画線を利用した偽造防止技術としては、本出願人らが先に出願した、「曲画線の集合模様を、潜像を施さない部分を一本線、潜像を施した部分を二本線以上の画線で表現し、潜像を施した部分の二本線以上の画線は、二本線以上の画線の合計の画線幅が、潜像を施さない部分の一本線の画線の画線幅と等しく、かつ、潜像を施さない部分の一本線から分岐し、さらに、潜像を施さない部分と潜像を施した部分の画線上の境界線が、曲画線の集合模様を構成する基本曲線と潜像の輪郭線の交点において基本曲線に接する直線に対し、約直角に交わる直線となることを特徴とする複写防止模様の作成方法及びその印刷物」（例えば、特許文献１参照）と、「曲画線の集合模様に、潜像を施さない部分を実線、潜像を施した部分を定周期断絶線で表現し、潜像を施した部分の定周期断絶線の合計上の実印刷される画線部と、画線部が断絶して欠落する非画線部の一周期において、画線部の面積に非画線部の面積を加算し、潜像を施した部分と潜像を施さない部分の曲線状方向の同一長さで同一画線面積率とする印刷物」（例えば、特許文献２参照）がある。
【０００４】
しかし、これらの技術も、カラー複写機並びに入力機器の高性能化及びＤＴＰ（デスクトップパブリッシング）技術の高度化により、従来は再現が困難であった細線が簡単に複製できるようになり、偽造防止としての十分な効果が得られなくなってきている。従って、複写機及び入力機器の解像度に依存しない偽造防止技術の開発が求められている。
【０００５】
また、本出願人は、２種類の網点画像を同一平面上に均等配置する場合において、一般の商業印刷で使用されている赤外線吸収性材料を含まないシアン（Ｃ）、マゼンタ（Ｍ）、イエロー（Ｙ）と赤外線吸収性材料を含むブラック（Ｂｋ）のプロセスの基本４色インキを用いて、可視又は不可視画像を生成し、現在の写真製版装置では複製が不可能で、特殊鑑定装置等を用いない限り画像を認識することができない不可視画像を安価に印刷する網点印刷物及びその印刷方法を先に出願している（例えば、特許文献３参照）。
【０００６】
しかし、これらの方法は、網点画像特有の性質を利用したものであり、有価証券等の貴重印刷物で用いられている線画画像には不向きである。
【０００７】
【特許文献１】特願平６−２０６１４０
【特許文献２】特願平７−１３８８７９
【特許文献３】特開２００３−１３６８２８
【発明の開示】
【発明が解決しようとする課題】
【０００８】
本発明は上記の問題にかんがみ、画線を利用した偽造防止技術であって、かつ、判別方法を各種複製機器又は入力機器の解像度に依存しない偽造防止技術を提供することを目的としている。
【課題を解決するための手段】
【０００９】
本発明は、特定の波長において吸収又は発光する第１の色材で印刷した第１の線画と、特定の波長において吸収又は発光せず、かつ、可視光下では第１の色材と同色に見える第２の色材で印刷した第２の線画で構成され、第１の線画と第２の線画は、それぞれ画線幅の違う背景領域と潜像領域で構成され、第２の線画の潜像領域は第１の線画の潜像領域と形状及び大きさが等しく、第１の線画と前記第２の線画が重なり、かつ、背景領域と潜像領域の濃度が等しいことを特徴とする印刷物である。
【００１０】
本発明の偽造防止用印刷物は、第１の線画を構成する画線と第２の線画を構成する画線が交差していることを特徴とする。
【００１１】
本発明の偽造防止用印刷物は、第１の線画を構成する画線と第２の線画を構成する画線が並行又は重畳して配列されていることを特徴とする。
【００１２】
本発明の偽造防止用印刷物は、第１の線画と、第２の線画の少なくとも一つが、規則的な間隔をもって配置された複数の画線で構成されることを特徴とする。
【００１３】
本発明の偽造防止用印刷物は、第１の線画と第２の線画が、少なくともどちらか一方において所定の領域で、隣接する画線と画線幅を異ならせることで濃度が変化してカムフラージュ模様を成していることを特徴とする。
【００１４】
本発明の偽造防止用印刷物は、カムフラージュ模様が、第１と第２の線画の同じ領域に配置されていることを特徴とする。
【００１５】
本発明の偽造防止用印刷物は、第１の線画が、赤外線吸収性材料を含むインキで印刷され、第２の線画が、赤外線吸収性材料を含まないインキで印刷されることを特徴とする。
【００１６】
本発明の偽造防止用印刷物は、第１の線画が、紫外線発光特性材料を含むインキで印刷され、第２の線画が、紫外線発光特性材料を含まないインキで印刷されることを特徴とする。
【発明の効果】
【００１７】
本発明の偽造防止用印刷物は、可視光下では第１の線画と第２の線画の合成画像が単色で印刷されているように認識されるが、赤外線下では第１の線画は認識できず、第２の線画のみを観察することができ、潜像模様として確認することができる。
該印刷物は線画で構成されているため、画線で構成されている多くのセキュリティ印刷物に利用することができる。また、連続した画線で模様が構成されているため、自然な階調潜像が得られる。さらに、本発明の偽造防止用印刷物は、二つの線画により構成されていることから、高水準の刷り合わせ精度を必要としない。
【発明を実施するための最良の形態】
【００１８】
本発明を実施するための最良の形態について、以下、図面を参照して説明する。しかしながら、本発明は、以下に述べる実施するための最良の形態に限定されるものではなく、特許請求の範囲記載における技術的思想の範囲内であれば、その他のいろいろな実施の形態が含まれる。
【００１９】
本発明における図１で示される偽造防止用印刷物Ａは、図２（１）で示される第１の線画ａ’と図２（２）で示される第２の線画ａ”の二つの線画によって構成されており、それぞれの線画については、画線幅の変化により模様を形成している。なお、この模様については、第１の線画ａ’における模様２とその周囲となる背景１との画線幅の関係と、第２の線画ａ”における模様４とその周囲となる背景３との画線幅の関係は相反するものであり、例えば、第１の線画ａ’において、背景１を構成する画線に対して模様２を構成する画線の画線幅を細くして形成する場合、第２の線画ａ”においては、背景３を構成する画線は第１の線画ａ’の模様２を形成している画線の画線幅と等しく細く、逆に模様４については、第１の線画ａ’の背景１を形成している画線の画線幅と等しく太く構成する。これは、いわゆるネガポジの関係となるように構成されているものである。
【００２０】
また、第１の線画ａ’における模様２と、第２の線画ａ”における模様４は、形状及び大きさが等しく、同じ領域内に構成されている。
【００２１】
さらに、第１の線画ａ’は、特定の波長範囲において吸収又は発光する第１の色材で印刷し、第２の線画ａ”は、第１の色材における特定の波長範囲で吸収又は発光しない第２の色材で印刷する。なお、後述の実施例においては、色材に印刷インキを用いることで説明するが、インキに限定することなく、印刷用転写箔を用いても良い。特定の波長範囲において吸収する色材としては、赤外線吸収性材料を含むインキを用い、特定の波長範囲において発光する色材としては、紫外線発光材料を含むインキを用いることができる。
【００２２】
第１の色材と第２の色材は、可視光下においては同色に視認される色を用い、前述のように、第１の線画ａ’の模様２と第２の線画ａ”の模様４を同じ領域に配置すると、第１の線画ａ’と第２の線画ａ”の画線幅の相互関係、いわゆるネガポジ関係により、すべての領域において画線面積率が等しくなり、見た目には濃度が等しいことから、第１の線画ａ’による模様２及び第２の線画ａ”による模様４は確認できなくなる。
【００２３】
この偽造防止用印刷物に対して、第１の色材の特性、例えば赤外線を照射して確認すると、第１の色材を用いて印刷された第１の線画ａ’のみが確認でき、それにより第１の線画ａ’による模様２を確認することができる。したがって、第１の線画ａ’による模様２は潜像となって出現することとなる（以下、画線幅の変化により形成された模様を「潜像」という。）。
【００２４】
（実施例１）
図１は、実施例１における本発明の偽造防止用印刷物Ａの完成図であり、図２（１）は第１の線画ａ’で、（２）は第２の線画ａ”であり、図３は偽造防止用印刷物Ａを可視光下において観察したときの状態を示し、図４は赤外線を照射したときに観察した状態を示すものである。
【００２５】
偽造防止用印刷物Ａは、第１の線画ａ’と第２の線画ａ”で構成される。図２（１）で示される第１の線画ａ’は、規則的な間隔で配置された連続した縦直万線で、画線幅６００μｍの背景領域１と、例えばＳの文字を型どった画線幅４００μｍの潜像領域２で構成される。図２（２）で示される第２の線画ａ”は、規則的な間隔で配置された連続した横直万線で、画線幅４００μｍの背景領域３と、例えば、「Ｓ」の文字を型どった画線幅６００μｍの潜像領域４で構成される。第１の線画ａ’と第２の線画ａ”は互いにネガポジの関係にある。すなわち、第１の線画ａ’で画線幅４００μｍの領域では、第２の線画ａ”は画線幅６００μｍで表現され、反対に、第１の線画ａ’で画線幅６００μｍの領域では、第２の線画ａ”は画線幅４００μｍで表現される。このため、偽造防止用印刷物Ａは、すべての領域において画線面積率が等しく、かつ、均一な濃度になっている。本実施例１では、第１の線画ａ’及び第２の線画ａ”は、共に画線ピッチが１，０００μｍによって作成される。
【００２６】
第１の線画ａ’と第２の線画ａ”は、可視光下では同色に見えるインキで印刷したものである。例えば、第１の線画ａ’を赤外線吸収性材料を含む暗緑色のインキで印刷し、さらにその上に、潜像領域同士が同じ領域に重なるように第２の線画ａ”を赤外線吸収性材料を含まない暗緑色のインキで印刷した。この印刷物を可視光下で観察すると、図３のように、第１の線画ａ’と第２の線画ａ”が重なり、全体が平坦な格子模様を成して見え、特に「Ｓ」という模様は確認できない。これを、赤外線カメラで印刷物を観察すると、図４に示すように、第１の線画ａ’のみが確認され、潜像「Ｓ」を観察できる。本実施例１では一定ピッチの直万線を用いたが、本発明では、画線面積率が一定であれば良く、必ずしもこの限りではない。また、第１のインキと第２のインキを入れ替えても良い。
【００２７】
（実施例２）
図５は、実施例２における本発明の偽造防止用印刷物Ｂの完成図であり、図６（１）は第１の線画ｂ’で、（２）は第２の線画ｂ”であり、図７は偽造防止用印刷物Ｂを可視光下において観察したときの状態を示し、図８は紫外線を照射したときに観察した状態を示すものである。
【００２８】
偽造防止用印刷物Ｂは、第１の線画ｂ’と第２の線画ｂ”で構成される。図６（１）で示される第１の線画ｂ’は、連続した横波万線で、画線幅１５０μｍの背景領域５と、例えば、「Ｓ」の文字を型どった画線幅３００μｍの潜像領域６で構成される。図６（２）で示される第２の線画ｂ”は、第１の線画ｂ’を下に５００μｍ平行移動した位置にある連続した横波万線で、画線幅３００μｍの背景領域７と、例えば、「Ｓ」の文字を型どった画線幅１５０μｍの潜像領域８で構成される。第１の線画ｂ’と第２の線画ｂ”は互いにネガポジの関係にあり、並行に配列されている。すなわち、第１の線画ｂ’で画線幅１５０μｍの領域では、第２の線画ｂ”は画線幅３００μｍで表現され、反対に、第１の線画ｂ’で画線幅３００μｍの領域では、第２の線画ｂ”は画線幅１５０μｍで表現される。このため、偽造防止用印刷物Ｂは、すべての領域において画線面積率が等しく、かつ、均一な濃度になっている。本実施例２では、第１の線画ｂ’及び第２の線画ｂ”は、共に画線ピッチが１，０００μｍによって作成される。
【００２９】
第１の線画ｂ’と第２の線画ｂ”は、可視光下では同色に見えるインキで印刷したものである。例えば、第１の線画ｂ’を紫外線発光特性材料を含む黄緑色のインキで印刷し、さらにその上に、潜像領域同士が同じ領域に重なるように第２の線画ｂ”を紫外線発光特性材料を含まない黄緑色のインキで印刷した。この印刷物を可視光下で観察すると、図７に示すように、第１の線画ｂ’と第２の線画ｂ”が重なり、全体が平坦な波模様を成して見え、特に「Ｓ」という模様は確認できない。これに紫外線をあてて観察すると、図８に示すように、第１の線画ｂ’の領域が発光し、潜像「Ｓ」を観察できる。このように、本発明は必ずしも線画を構成する画線が交差しなくても良い。
【００３０】
本実施例２においては、第１の線画ｂ’と第２の線画ｂ”を並行して配列した例を示したが、第１の線画ｂ’と第２の線画ｂ”が同じ位置に重畳して配列されていても良い（図示せず）。この場合、背景領域を構成する第１の線画ｂ’は、同じ背景領域を構成する第２の線画ｂ”の画線幅内に配置されることとなり、また、潜像領域を構成する第２の線画ｂ”は、同じ潜像領域を構成する第１の線画ｂ’の画線幅内に配置されることとなる。いわゆる、第１の線画と第２の線画が重畳されて配置されるとは、画線幅が太い線画の画線幅内に画線幅が狭い線画が配置されるということである。
【００３１】
第１の線画ｂ’と第２の線画ｂ”を重畳して配置する場合には、それぞれの線画を等色のインキで印刷する必要がある。どちらか一方が濃度の高いインキで印刷した場合には、前述したように、背景領域及び潜像領域において、第１の線画と第２の線画の画線幅が逆転するため、濃度の高いインキで印刷された線画が細い線画として配置された領域においては、２色の線画が確認されることとなり、潜像自体が認識されることとなる。
【００３２】
（実施例３）
図９は、実施例３における本発明の偽造防止用印刷物Ｃの完成図であり、図１０（１）は第１の線画ｃ’で、（２）は第２の線画ｃ”であり、図１１は偽造防止用印刷物Ｃを可視光下において観察したときの状態を示し、図１２は赤外線を照射したときに観察した状態を示すものである。
【００３３】
偽造防止用印刷物Ｃは、第１の線画ｃ’と第２の線画ｃ”で構成される。図１０（１）で示される第１の線画ｃ’は、連続した横波万線で、画線幅２５０μｍの背景領域９と、例えば、「Ｓ」の文字を型どった画線幅６００μｍの潜像領域１０で構成される。図１０（２）で示される第２の線画ｃ”は、第１の線画ｃ’を横に２，５００μｍ、縦に１，０００μｍ平行移動した位置にある連続した横波万線で、画線幅６００μｍの背景領域１１と、例えば、「Ｓ」の文字を型どった画線幅２５０μｍの潜像領域１２で構成される。よって第１の線画ｃ’と第２の線画ｃ”は並行に配列された関係を成す。また、第１の線画ｃ’と第２の線画ｃ”は互いにネガポジの関係にある。すなわち、第１の線画ｃ’で画線幅２５０μｍの領域では、第２の線画ｃ”は画線幅６００μｍで表現され、反対に、第１の線画ｃ’で画線幅６００μｍの領域では、第２の線画ｃ”は画線幅２５０μｍで表現される。このため、偽造防止用印刷物Ｃは、すべての領域において画線面積率が等しく、全体が均一な濃度になっている。本実施例３では、第１の線画ｃ’及び第２の線画ｃ”は、共に画線ピッチが２，０００μｍによって作成される。また、波線の位相は５，０００μｍ、振幅は１，５００μｍである。
【００３４】
第１の線画ｃ’と第２の線画ｃ”は、可視光下では同色に見えるインキで印刷したものである。例えば、第１の線画ｃ’を赤外線吸収性材料を含む暗緑色のインキで印刷し、さらにその上に潜像領域同士が同じ領域に重なるように第２の線画ｃ”を赤外線吸収性材料を含まない暗緑色のインキで印刷した。この印刷物を可視光下で観察すると、図１１に示すように、第１の線画ｃ’と第２の線画ｃ”が重なり、全体が平坦な模様を成して見え、特に「Ｓ」という模様は確認できない。これを、赤外線カメラで印刷物を観察すると、図１２に示すように、第１の線画ｃ’の領域のみが確認され、潜像「Ｓ」を観察できる。
【００３５】
（実施例４）
図１３は、実施例４における本発明の偽造防止用印刷物Ｄの完成図であり、図１４（１）は第１の線画ｄ’で、（２）は第２の線画ｄ”であり、図１５は偽造防止用印刷物Ｄを可視光下において観察したときの状態を示し、図１６は赤外線を照射したときに観察した状態を示すものである。
【００３６】
偽造防止用印刷物Ｄは、第１の線画ｄ’と第２の線画ｄ”で構成される。図１４（１）で示される第１の線画ｄ’は、連続した横波万線で、画線幅３５０μｍの背景線画１３と、例えば、「Ｓ」の文字を型どった画線幅５００μｍの潜像線画１４で構成される。図１４（２）で示される第２の線画ｄ”は、連続した縦万線で画線幅１，０００μｍの背景線画１５と、例えば、「Ｓ」の文字を型どった画線幅７００μｍの潜像線画１６で構成される。画線ピッチは第１の線画ｄ’が１，０００μｍ  、第２の線画ｄ”が２，０００μｍである。第１の線画ｄ’と第２の線画ｄ”は、画線面積率において互いにネガポジの関係にある。すなわち、第１の線画ｄ’で画線幅３５０μｍの領域では、第２の線画ｄ”は画線幅１，０００μｍで表現され、反対に、第１の線画ｄ’で画線幅５００μｍの領域では、第２の線画ｄ”は画線幅７００μｍで表現される。このため、偽造防止用印刷物Ｄは、すべての領域において画線面積率が等しく、かつ、全体が均一な濃度になっている。
【００３７】
第１の線画ｄ’と第２の線画ｄ”は、可視光下では同色に見えるインキで印刷したものである。例えば、第１の線画ｄ’を赤外線吸収性材料を含む暗緑色のインキで印刷し、さらにその上に、潜像領域同士が同じ領域に重なるように第２の線画ｄ”を赤外線吸収性材料を含まない暗緑色のインキで印刷した。この印刷物を可視光下で観察すると、図１５に示すように、第１の線画ｄ’と第２の線画ｄ”が重なり、全体が平坦な模様を成して見え、特に「Ｓ」という模様は確認できない。これを、赤外線カメラで印刷物を観察すると、図１６に示すように、第１の線画ｄ’の領域のみが確認され、潜像「Ｓ」を観察できる。
【００３８】
（実施例５）
図１７は、実施例５における本発明の偽造防止用印刷物Ｅの完成図であり、本発明の効果をより高めるために実施例３の偽造防止用印刷物Ｃに水玉を型どったカムフラージュを施したものである。図１８（１）は第１の線画ｅ’で、（２）は第２の線画ｅ”であり、図１９は偽造防止用印刷物Ｅを可視光下において観察したときの状態を示し、図２０は、赤外線を照射したときに観察した状態を示すものである。
【００３９】
偽造防止用印刷物Ｅは、図１８（１）で示される第１の線画ｅ’と図１８（２）で示される第２の線画ｅ”で構成される。第１の線画ｅ’は、実施例３における偽造防止用印刷物Ｃの第１の線画ｃ’におけるカムフラージュ領域１７の部分を、背景領域を画線幅１５０μｍ、潜像領域を画線幅４００μｍで構成したものであり、第２の線画ｅ”は、実施例３における偽造防止用印刷物Ｃの第２の線画ｃ”における点線にて図示したカムフラージュ領域１８の部分を、背景領域を画線幅４００μｍ、潜像領域を画線幅１５０μｍで構成したものである。
【００４０】
第１の線画ｅ’と第２の線画ｅ”は、可視光下では同色に見えるインキで印刷したものである。例えば、第１の線画ｅ’を赤外線吸収性材料を含む暗緑色のインキで印刷し、さらにその上に、潜像領域同士が同じ領域に重なるように第２の線画ｅ”を赤外線吸収性材料を含まない暗緑色のインキで印刷した。この印刷物を可視光下で観察すると、図１９に示すように、第１の線画ｅ’と第２の線画ｅ”が重なり、全体がカムフラージュ模様の水玉を含めた平坦な模様を成して見え、特に「Ｓ」という模様は確認できない。これを赤外線カメラで印刷物を観察すると、図２０に示すように、第１の線画ｅ’の領域のみが確認され、潜像「Ｓ」を観察できる。このようなカムフラージュ模様は、本実施例に限らず前述のいかなる実施例においても効果を得られるものである。また、カムフラージュ模様は諧調のある模様でも構わない。
【００４１】
（実施例６）
図２１は、実施例６における本発明の偽造防止用印刷物Ｆの完成図であり、本発明の効果をより高めるために実施例１の偽造防止用印刷物Ａに「Ａ」という文字のカムフラージュを施したものである。図２２（１）は第１の線画ｆ’で、（２）は第２の線画ｆ”であり、図２３は偽造防止用印刷物Ｆを可視光下において観察したときの状態を示し、図２４は赤外線を照射したときに観察した状態を示すものである。
【００４２】
偽造防止用印刷物Ｆは、図２２（１）で示される第１の線画ｆ’と図２２（２）で示される第２の線画ｆ”で構成される。第１の線画ｆ’は、背景領域２０と「Ｓ」の文字を型どった潜像領域１９で構成され、画線幅とピッチは、実施例１における図２（１）と等しく、第２の線画ｆ”は、図２（２）と等しい。なお、第１の線画ｆ’と第２の線画ｆ”の潜像領域は共通である。また、第１の線画ｆ’にはカムフラージュとして「Ａ」の文字がデザインされている。「Ａ」の文字の画線幅は、「Ｓ」の潜像領域と重なる領域１９が１５０μｍ、背景領域と重なる領域２０が４３０μｍである。これにより、偽造防止用印刷物Ｆは、「Ａ」の文字と、その周りの領域でそれぞれ均一の画線面積率になっている。
【００４３】
第１の線画ｆ’と第２の線画ｆ”は、可視光下では同色に見えるインキで印刷したものである。例えば、第１の線画ｆ’を赤外線吸収性材料を含む暗緑色のインキで印刷し、さらにその上に、潜像領域同士が同じ領域に重なるように第２の線画ｆ”を赤外線吸収性材料を含まない暗緑色のインキで印刷した。この印刷物を可視光下で観察すると、図２３に示すように、第１の線画ｆ’と第２の線画ｆ”が重なり、全体がカムフラージュ模様の「Ａ」という文字として見え、特に「Ｓ」という模様は確認できない。これを赤外線カメラで印刷物を観察すると、図２４に示すように、第１の線画ｆ’の領域のみが確認され、潜像「Ｓ」を観察できる。このように、画線面積率さえ合わせれば、カムフラージュ模様を入れるのは第１の線画又は第２の線画のどちらか一方の線画だけでも良い。また、二つの線画の背景領域は必ずしも一致しなくても良い。
【図面の簡単な説明】
【００４４】
【図１】実施例１の偽造防止用印刷物Ａを示した図。
【図２】実施例１における第１の線画ａ’及び第２の線画ａ”を示した図。
【図３】実施例１の偽造防止用印刷物Ａを可視光下で観察した状態を示した図。
【図４】実施例１の偽造防止用印刷物Ａを赤外線光下で観察した状態を示した図。
【図５】実施例２の偽造防止用印刷物Ｂを示した図。
【図６】実施例２における第１の線画ｂ’及び第２の線画ｂ”を示した図。
【図７】実施例２の偽造防止用印刷物Ｂ可視光下で観察した状態を示した図。
【図８】実施例２の偽造防止用印刷物Ｂ赤外線光下で観察した状態を示した図。
【図９】実施例３の偽造防止用印刷物Ｃを示した図。
【図１０】実施例３における第１の線画ｃ’及び第２の線画ｃ”を示した図。
【図１１】実施例３の偽造防止用印刷物Ｃを可視光下で観察した状態を示した図。
【図１２】実施例３の偽造防止用印刷物Ｃを赤外線光下で観察した状態を示した図。
【図１３】実施例４の偽造防止用印刷物Ｄを示した図。
【図１４】実施例４における第１の線画ｄ’及び第２の線画ｄ”を示した図。
【図１５】実施例４の偽造防止用印刷物Ｄを可視光下で観察した状態を示した図。
【図１６】実施例４の偽造防止用印刷物Ｄを赤外線光下で観察した状態を示した図。
【図１７】実施例５の偽造防止用印刷物Ｅを示した図。
【図１８】実施例５における第１の線画ｅ’及び第２の線画ｅ”を示した図。
【図１９】実施例５の偽造防止用印刷物Ｅを可視光下で観察した状態を示した図。
【図２０】実施例５の偽造防止用印刷物Ｅを赤外線光下で観察した状態を示した図。
【図２１】実施例６の偽造防止用印刷物Ｆを示した図。
【図２２】実施例６における第１の線画ｆ’及び第２の線画ｆ”を示した図。
【図２３】実施例６の偽造防止用印刷物Ｆを可視光下で観察した状態を示した図。
【図２４】実施例６の偽造防止用印刷物Ｆを赤外線光下で観察した状態を示した図
【符号の説明】
【００４５】
Ａ      偽造防止用印刷物Ａ
Ｂ      偽造防止用印刷物Ｂ
Ｃ      偽造防止用印刷物Ｃ
Ｄ      偽造防止用印刷物Ｄ
Ｅ      偽造防止用印刷物Ｅ
Ｆ      偽造防止用印刷物Ｆ
ａ’、ｂ’、ｃ’、ｄ’、ｅ’、ｆ’        第１の線画
ａ”、ｂ”、ｃ”、ｄ”、ｅ”、ｆ”        第２の線画
１、３、５、７、９、１１、１３、１５      背景領域
２、４、６、８、１０、１２、１４、１６    潜像領域
１７    第１の線画におけるカムフラージュ領域
１８    第２の線画におけるカムフラージュ領域
１９    潜像領域と重なるカムフラージュ領域
２０    背景領域と重なるカムフラージュ領域
【図１】
2008265190.tif 000003
【図２】
2008265190.tif 000004
【図３】
2008265190.tif 000005
【図４】
2008265190.tif 000006
【図５】
2008265190.tif 000007
【図６】
2008265190.tif 000008
【図７】
2008265190.tif 000009
【図８】
2008265190.tif 000010
【図９】
2008265190.tif 000011
【図１０】
2008265190.tif 000012
【図１１】
2008265190.tif 000013
【図１２】
2008265190.tif 000014
【図１３】
2008265190.tif 000015
【図１４】
2008265190.tif 000016
【図１５】
2008265190.tif 000017
【図１６】
2008265190.tif 000018
【図１７】
2008265190.tif 000019
【図１８】
2008265190.tif 000020
【図１９】
2008265190.tif 000021
【図２０】
2008265190.tif 000022
【図２１】
2008265190.tif 000023
【図２２】
2008265190.tif 000024
【図２３】
2008265190.tif 000025
【図２４】
2008265190.tif 000026